(57)【要約】【課題】厚みの薄い平板状の定規であっても、平滑な机面上に密着状態で置かれていた場合や、手指の不自由な高齢者にも適するように、手指で簡単に摘み上げることができるようにすること。更に定規としての機能を損なわないために、長さを表すセンチメートルやインチ等の目盛りを施せるようにした。【解決手段】平板状の定規に突出部を設け、該突出部の机面やボード面を突き押す作用を用いて、該定規と机面の間に空間を生成させ、該平板状定規を該机面から浮上させて、手で摘み上げ易くした。【選択図】図３
2011000775.tif 000002
【特許請求の範囲】
【請求項１】
平板状定規に於いて、該平板状定規は、静置した机やボード等の静置面から該
平板状定規の一部分が浮上状態になるように構成し、使用者が該平板状定規の
把握を容易にしたことを特徴とする平板状定規
【請求項２】
前記平板状定規は、該平板状定規の１側の一部分を切り欠き、該切り欠きした
端部を屈曲させ、該切り欠きした端部によって、前記浮上状態になるように構
成したことを特徴とする請求項１に示した平板状定規
【請求項３】
前記平板状定規の少なくとも１側に反発性可動片を設け、該反発性可動片の先
端には該平板状定規の表面または裏面へ出没を可能にする突出部を備えて、該
突出部が机面やボード面を突き押して、前記浮上状態になるように構成したこ
とを特徴とする請求項１に示した平板状定規
【請求項４】
前記定規に於いて、少なくとも１対の前記突出部を備える前記反発性可動片と、
少なくとも１個の該突出部が該定規等の表面または裏面に出没可能に取付け、
前記浮上状態になるように構成したことを特徴とする請求項１に示した平板状
定規
【請求項５】
前記浮上式定規の片面または両面および側面の少なくとも一面に、該突出部ま
たは伸縮性可動片を設けることによって前記浮上状態を構成したことを特徴と
する請求項１に示した平板状定規
【発明の詳細な説明】
【技術分野】
【０００１】
本発明は、線引きや図面を描く際に使用する定規に関する。
【背景技術】
【０００２】
一般的な平板状の定規は主線や補助線などの線引きのために、図面等を描く際に用い、センチメートルやインチ等の長さを表す目盛線の付いた直線形状のものや、様々な曲線を描くための雲形状のものがある。そして直線または曲線を形成する側縁部を備え、目盛線は本体の片側縁部または両側縁部に刻まれる。該平板状の定規は本体が薄肉製のものが多く、机上やボード上に直に置かれた際は、使用者が瞬時に手に取ったり摘み上げ等によって把握することが難しく、作業の効率を著しく阻害することが多い。
【０００３】
また従来の平板状の定規を使用し、製図等の作図工程における墨入れを行なう際は、該定規を紙面の隅々まで移動させるため、手で摘み上げる頻度が多くなる。更には、墨入れ直後の墨線に触れないよう、過度の神経を集中しなければならず、墨入れ作業には多くの時間と労力を要するため、該定規を簡単に摘み上げる方法が求められていた。
【０００４】
指先で挟んだり摘んだりして簡易かつ安全に持ち上げることができる定規としては（例えば、特許文献１）がある。この特許文献１の定規では、該定規本体が厚み方向に嵩張る形状になっている。そのためペンケースや筆箱に収納することが困難であり、常時携帯するには不便な定規である。
【先行技術文献】
【特許文献】
【０００５】
【特許文献１】特開２００３−１５４７８６
【発明の概要】
【発明が解決しようとする課題】
【０００６】
平板状の定規は、その薄さゆえに軽量で携帯性や持ち運びには便利であり、身近な文具としての役割は十分に果たすものであった。然しながら定規本体は概して薄肉の板状体が多く、手に取り上げたり摘んだりし難い形状になっている。本発明はこの点に着目し、手で取り扱いが楽な定規を提供することを目標とした。
これまでの定規は平板状で平滑面を有し、且つ厚みの少ない板状であるため、机上やボード上に密着状態に置かれた場合には、手で取り上げたり手指で摘み上げし難く、爪を立てたりして必要以上に指先に力を加えて摘む以外に方法はなく、取り扱い上の利便性に欠けている。
【０００７】
然しながら該定規を使用する製図の墨入れ作業はじめ、一般的な作業においては、該定規を迅速に移動する場面が多いのは前述の通りである。しかも最近では高齢化が進み、定規を使った仕事や作業が多くなり、このため机上で簡単確実に定規を手で摘んで把握することが可能な、扱い易い定規の開発が待たれていた。
【課題を解決するための手段】
【０００８】
平滑な机面やボード面に直に置かれても、突出部が机面（紙面）またはボード面を突き押して定規本体を浮上させる事により、該定規と机面（紙面）またはボード面の間に空間を生成させて、手指で摘み上げ易くする構成を考えた。更に線引きや目盛を読み取る機能を損なわず、嵩張らずに収納ができる事とした。
【０００９】
より詳しくは、平板状の定規本体の適宜な位置に切り欠き又は抜き穴を形成し、該切り欠きの端部を屈曲させたり、該抜き穴の位置にバネ性又は柔軟性を有する反発性可動片を設け、これらを突出部とし、机上やボード上に密着状態に置かれた際に、該突出部が机面（紙面）やボード面を突き押し、該突出部の頂点と机面（紙面）またはボード面との間に空間を生成して、該定規本体を机面（紙面）から浮上させて、手指で取り上げたり摘み上げ易くする。
【発明の効果】
【００１０】
本発明の浮上式の平板状定規を使用すれば、以下のような効果が得られる。
即ち
（１）本発明による平板状定規を使用すると、使用者が定規を取り上げたり摘み上げたりする時に把握等の取り扱いが楽になる。
（２）製図における墨入れ作業のミスを防ぎ、墨入れ作業の効率化が図れる。従来の定規を使用する墨入れ作業においては、例えば該定規の側縁部に沿って直線等の墨入れを行なう際に、墨入れを行なった直後の墨線は、該定規の該側縁部の直下で至近距離にある。もしも該定規の該側縁部が墨入れ直後の墨線に僅かでも触れると、未乾燥の墨線が一瞬に拡散してしまうため、大きなダメージとなる。このように従来の定規を使用して墨入れを行なう際は、該墨線に触れないよう長時間に亘り、細心の注意と緊張感の持続が必要不可欠なものであった。
【００１１】
（３）本発明の浮上式定規を使用すれば、線引きや墨入れを行なう場合に、一方の手で該定規を押え付けて行なう動作は、従来の定規を扱う動作と同様であるが、前記墨入れ後の動作においては、作業者は該浮上式定規を押えていた手を離すだけで、該浮上式定規が突出部の作用により、該浮上式定規を紙面等から浮上させるため、該浮上式定規と該紙面等の間に空間部が生成される。従って該浮上式定規の側縁部は、引いたばかりの墨線から一定の距離を確保するため、墨線に触れる危険性が減少し、安全に楽に手で摘み上げることができる。
【図面の簡単な説明】
【００１２】
【図１】は、本発明の実施形態の一例を表す、浮上式定規の平面図である。
【図２】は、図１の側断面図である。
【図３】は、図２の別形態を表す側断面図である。
【図４】は、図３の別形態を表す側断面図である。
【図５】は、図１乃至図４の別形態を表す側面図である。
【図６】は、図３の縦方向から見た側面図である。
【図７】は、図４の縦方向から見た側面図である。
【図８ａ】は、図１の別形態の一例を表す平面図である
【図８ｂ】は、図８ａの側面図である。
【図９】は、図８ａの別形態を表す平面図である。
【実施例】
【００１３】
以下、実施例に基づいて本発明を説明するが、発明の要旨を逸脱しない限りにおいて、これらの例に限定されるものではない。
図１は、本発明の浮上式定規の実施形態の一例を表す平面図である。これは該定規本体１を上から見たところを表し、該定規本体１の端部３の近傍に抜き穴７が設けられ、該抜き穴７には突出部２を備える反発性可動片６を取り付けた、該浮上式定規の標準的な形態を示している。側縁部１０、同１１の近傍には、該側縁部に沿って長さを表す目盛り線を設けても良い。
【００１４】
該反発性可動片６の材質は柔軟で永続的な反発力を保持し、該定規本体１の任意の位置に安全に固定ができ、可動片としての機能を損なわない形状であれば良い。また突出部２の外観が碁石形状ないし凸レンズ形状の場合は、例えばレンズ機能を持たせる場合には、透明な素材としてのガラス或はプラスチックなど、各々の単体又は複合体でも良い。また該定規本体１と同一素材を用いて、一体成型による一体構造にしても良い。さらに凸レンズ形状に替えて、半球形状やスプーン形状などでも構わない。また該突出部２が、例えば山形の渦巻き状に成形されていれば、突出部２自体にバネ性を持たせることができる。この山形渦巻き状突出部を取り付ける場合は、可動片６と一体成形にして、一体型伸縮性可動片６としても良い。
【００１５】
図２は、図１の一点鎖線Ａ１〜Ａ２で示した位置における切断面を表した側断面図で、該定規本体１の実施形態を表す一例である。ここでは、いま正に線引きの状態にあるところを示している。即ち、該定規本体１が机面ｄ（紙面）へ手によって押圧され、突出部２は反発性可動片６の柔軟性の効果により、上方に傾斜し、該突出部２の頂点４が該机面ｄ（紙面）に密着状態で押し付けられているところを示している。従って該定規本体１の端部３の付近は該机面ｄ（紙面）に密着状態になっており、線引き等の作業に対応していることが分かる。
【００１６】
図３は、図２と同じく側断面図を表し、該定規本体１の使用状態の一例を示すものである。ここでは線引き作業が終了して、該定規本体１が机面ｄ（紙面）へ向けた手の押圧から解放されて、該浮上式定規の機能を発揮したところである。即ち、該突出部２の頂点４は反発性可動片６の反発力によって、該机面ｄ（紙面）を突き押したところを示している。その結果、該定規本体１の端部３付近を、机面ｄ（紙面）から浮上させて空間ｅを生成したところを示している。従って該定規本体１は、手で楽に摘み上げられる体制ができている事が分かる。
【００１７】
図４は、図３に類似する図であり実施形態の一例を表している。図３と異なる点は突出部２の形状にある。即ち図３では、該突出部２は凸レンズ形状または碁石形状であるのに対し、図４に於いてはスプーン形状または半球形状の突出部２を備えており、該定規本体１の端部３の付近を机面ｄ（紙面）から浮上させて、空間ｅを生成させている。
【００１８】
この実施例の特徴は、突出部２の形状がスプーン状の薄型にできるため、凸レンズまたは碁石形状の場合に比べ、厚みを小さくする事が可能であり、該定規本体１と同程度の厚みに成形することができる。例えば、該定規本体１の抜き穴７の中に、完全に埋没させることも可能となり、該定規本体１を押圧した際でも、該突出部２の上側頂点４が該定規本体１の上面に、突き出さないようにする事ができるものである。
【００１９】
図５は、突出部２を該定規本体１の中央部に設けた例を示す実施形態の一例を表す側面図である。図１、乃至図４に於いては、該突出部２が該定規本体１の端部３寄りに設けた例を示したのに対し、図５では該定規本体１の中央部付近に該突出部２を設けた例を示すものである。該突出部２を該定規本体１の中央部付近に設けた場合の効果は、該定規本体１の長さ及び該突出部２の大きさが等しければ、該定規本体１の端部３における空間ｅの浮上高さを、前者よりも大きくすることが出来ることである。即ち、図３、図４で示された空間ｅに比べ、図５における空間ｅは、高さが増大していることが分かる。このように、突出部２を該定規本体１の任意の位置に備えても良い。図５から分かる通り、該定規本体１は、大きな空間ｅを生成し点線で示す机面ｄ（紙面）との距離を増大させるから、より一層手で摘まみ易くできるものである。
【００２０】
図６は、突出部２が碁石形状または凸レンズ形状とした場合の、該定規本体１の端部３の側から見た、実施形態の一例を表す側面図である。図７は、突出部２がスプーン形状または半球形状とした場合の、該定規本体１の端部３の側から見た側面図を表している。
【００２１】
図８ａは、前記突出部２の形状とは異なり、該定規本体１の切り欠き端部を突出部１２として機能させる場合の実施形態の一例を表す平面図である。さらに図８ｂは、図８ａの横側面図を表している。即ち該定規本体１の任意の位置に、適宜な形状の切り欠き１７を施して、これによって生じた端部を切り欠き端部１２として形成している。該切り欠き端部１２は図８ｂに示すように、該定規本体１の少なくとも任意の１側に、突き出すように屈曲させて成形されている。該切り欠き端部１２が形成された手で摘み取り易い定規は、成形が簡単なため、大概の平板状定規に応用する事ができる。
【００２２】
図９は、図８ａ及び図８ｂに示した切り欠き端部１２の、切り欠き形状の変形の例を示した実施形態の一例である。このように、突出部としての機能を損なわない範囲で、如何なる形状の切り欠き部と切り欠き端部を形成しても良い。
【産業上の利用可能性】
【００２３】
以上詳述したように、本発明においては従来の定規の形状を保ちつつ、小さな構造的改良で大きな機能の向上が図れるため、多くの使用者にとって役立つ道具となるだろう。
【符号の説明】
【００２４】
１    定規本体
２    突出部
３    端部
４    頂点
６    反発性可動片
７    抜き穴
１０  側縁部
１１  側縁部
１２  切り欠き端部
１７  切り欠き部
ｄ  机面（紙面）
ｅ  空間
【図１】
2011000775.tif 000003
【図２】
2011000775.tif 000004
【図３】
2011000775.tif 000005
【図４】
2011000775.tif 000006
【図５】
2011000775.tif 000007
【図６】
2011000775.tif 000008
【図７】
2011000775.tif 000009
【図８ａ】
2011000775.tif 000010
【図８ｂ】
2011000775.tif 000011
【図９】
2011000775.tif 000012